(57)【要約】【課題】ユーザーの利便性を向上させる。【解決手段】プロジェクター１は、ホーム画面１１０を、リモコン５や操作パネル１３により操作を受け付けたことにより表示させた場合、インターフェイス部５０への画像信号の入力が検出されても、表示部２０により表示させる画像としてホーム画面１１０の画像を選択し、ホーム画面１１０を、インターフェイス部５０への画像信号の入力が検出されないことにより表示させた場合、インターフェイス部５０への画像信号の入力が検出されると、表示部２０により表示させる画像を、ホーム画面１１０の画像から、入力が検出された画像信号に基づく画像に変更する。【選択図】図１
2020148798.tif 000002
【特許請求の範囲】
【請求項１】
複数のインターフェイスを備え、外部装置に接続される接続部への画像信号の入力が検出されない場合、又は受付部により操作を受け付けた場合に、複数の前記インターフェイスのいずれかを選択する選択画面を表示部により表示させる画面表示ステップと、
前記接続部への画像信号の入力を検出する検出ステップと、
前記表示部により表示させる画像を選択する選択ステップと、を有し、
前記選択ステップは、前記画面表示ステップで、前記選択画面を、前記受付部により操作を受け付けたことにより表示させた場合、前記接続部への画像信号の入力が検出されても、前記表示部により表示させる画像として、前記選択画面の画像を選択し、
前記選択ステップは、前記画面表示ステップで、前記選択画面を、前記接続部への画像信号の入力が検出されないことにより表示させた場合、前記接続部への画像信号の入力が検出されると、前記表示部により表示させる画像として、入力が検出された画像信号に基づく画像を選択する、表示装置の制御方法。
【請求項２】
前記選択ステップは、前記選択画面の表示後、画像信号の入力が検出された場合に、前記表示部により表示させる画像を選択する選択条件として第１条件が設定された場合、前記選択画面を、前記受付部により操作を受け付けたことにより表示させた場合と、前記接続部への画像信号の入力が検出されないことにより表示させた場合とのいずれの場合であっても、前記表示部により表示させる画像として、入力が検出された前記画像信号に基づく画像を選択する、請求項１記載の表示装置の制御方法。
【請求項３】
前記選択ステップは、前記選択画面の表示後、画像信号の入力が検出された場合に、前記表示部により表示させる画像を選択する選択条件として第２条件が設定された場合、前記選択画面を、前記受付部により操作を受け付けたことにより表示させた場合と、前記接続部への画像信号の入力が検出されないことにより表示させた場合とのいずれの場合であっても、前記表示部により表示させる画像として、前記選択画面の画像を選択する、請求項１記載の表示装置の制御方法。
【請求項４】
前記選択ステップは、前記選択画面の表示後、画像信号の入力が検出された場合に、前記表示部により表示させる画像を選択する選択条件として第３条件が設定された場合、前記選択画面を、前記受付部により操作を受け付けたことにより表示させた場合、前記接続部への画像信号の入力が検出されても、前記表示部により表示させる画像として前記選択画面の画像を選択し、
前記選択画面を、前記接続部への画像信号の入力が検出されないことにより表示させた場合、前記接続部への画像信号の入力が検出されると、前記表示部により表示させる画像を、前記選択画面の画像から、入力が検出された画像信号に基づく画像に変更する、請求項１記載の表示装置の制御方法。
【請求項５】
前記選択画面には、複数の前記インターフェイスの各々に対応づけられた複数の子画面が表示され、複数の前記子画面は、子画面が対応づけられたインターフェイスに入力される画像信号に基づく画像が表示され、
前記選択ステップは、複数の前記子画面のいずれかを選択する操作を前記受付部により受け付けると、前記表示部により表示させる画像を、前記選択画面から、前記受付部が受け付けた操作により選択された子画面に対応づけられたインターフェイスに入力される画像信号に基づく画像に変更する、請求項１から４のいずれか一項に記載の表示装置の制御方法。
【請求項６】
表示部と、
操作を受け付ける受付部と、
複数のインターフェイスを備え、外部装置に接続される接続部と、
前記接続部への画像信号の入力を検出する検出部と、
前記接続部への画像信号の入力が検出されない場合、又は受付部により操作を受け付けた場合に、複数の前記インターフェイスのいずれかを選択する選択画面を前記表示部により表示させる表示制御部と、を備え、
前記表示制御部は、前記選択画面を、前記受付部により操作を受け付けたことにより表示させた場合、前記接続部への画像信号の入力が検出されても、前記表示部により表示させる画像として前記選択画面の画像を選択し、
前記選択画面を、前記接続部への画像信号の入力が検出されないことにより表示させた場合、前記接続部への画像信号の入力が検出されると、前記表示部により表示させる画像を、前記選択画面の画像から、入力が検出された画像信号に基づく画像に変更する、表示装置。
【発明の詳細な説明】
【技術分野】
【０００１】
本発明は、表示装置の制御方法及び表示装置の制御方法に関する。
【背景技術】
【０００２】
従来、表示装置は、外部装置との接続のための複数のインターフェイスを複数備え、画像信号の入力がないインターフェイスに、画像信号の入力が検出されると、このインターフェイスに入力された画像信号に基づく画像を表示させている。
例えば、特許文献１に開示の表示装置は、複数の映像ソース端子の各々に入力される信号の有無を監視し、信号入力がない映像ソース端子が、信号入力がある映像ソース端子に切り替わったことを検出して当該映像ソース端子を表示対象として選択する。
【先行技術文献】
【特許文献】
【０００３】
【特許文献１】特開２０１０−１７６０６０号公報
【発明の概要】
【発明が解決しようとする課題】
【０００４】
インターフェイスへの画像信号の入力を検出して、入力が検出されたインターフェイスに入力された画像信号に基づく画像を表示させる構成の場合、ユーザーの意図しないタイミングで表示画像が切り替わってしまう場合があった。
【課題を解決するための手段】
【０００５】
上記課題を解決する一態様は、複数のインターフェイスを備え、外部装置に接続される接続部への画像信号の入力が検出されない場合、又は受付部により操作を受け付けた場合に、複数の前記インターフェイスのいずれかを選択する選択画面を表示部により表示させる画面表示ステップと、前記接続部への画像信号の入力を検出する検出ステップと、前記表示部により表示させる画像を選択する選択ステップと、を有し、前記選択ステップは、前記画面表示ステップで、前記選択画面を、前記受付部により操作を受け付けたことにより表示させた場合、前記接続部への画像信号の入力が検出されても、前記表示部により表示させる画像として、前記選択画面の画像を選択し、前記選択ステップは、前記画面表示ステップで、前記選択画面を、前記接続部への画像信号の入力が検出されないことにより表示させた場合、前記接続部への画像信号の入力が検出されると、前記表示部により表示させる画像として、入力が検出された画像信号に基づく画像を選択する、表示装置の制御方法である。
【０００６】
上記表示装置の制御方法において、前記選択ステップは、前記選択画面の表示後、画像信号の入力が検出された場合に、前記表示部により表示させる画像を選択する選択条件として第１条件が設定された場合、前記選択画面を、前記受付部により操作を受け付けたことにより表示させた場合と、前記接続部への画像信号の入力が検出されないことにより表示させた場合とのいずれの場合であっても、前記表示部により表示させる画像として、入力が検出された前記画像信号に基づく画像を選択する構成であってもよい。
【０００７】
上記表示装置の制御方法において、前記選択ステップは、前記選択画面の表示後、画像信号の入力が検出された場合に、前記表示部により表示させる画像を選択する選択条件として第２条件が設定された場合、前記選択画面を、前記受付部により操作を受け付けたことにより表示させた場合と、前記接続部への画像信号の入力が検出されないことにより表示させた場合とのいずれの場合であっても、前記表示部により表示させる画像として、前記選択画面の画像を選択する構成であってもよい。
【０００８】
上記表示装置の制御方法において、前記選択ステップは、前記選択画面の表示後、画像信号の入力が検出された場合に、前記表示部により表示させる画像を選択する選択条件として第３条件が設定された場合、前記選択画面を、前記受付部により操作を受け付けたことにより表示させた場合、前記接続部への画像信号の入力が検出されても、前記表示部により表示させる画像として前記選択画面の画像を選択し、前記選択画面を、前記接続部への画像信号の入力が検出されないことにより表示させた場合、前記接続部への画像信号の入力が検出されると、前記表示部により表示させる画像を、前記選択画面の画像から、入力が検出された画像信号に基づく画像に変更する構成であってもよい。
【０００９】
上記表示装置の制御方法において、前記選択画面には、複数の前記インターフェイスの各々に対応づけられた複数の子画面が表示され、複数の前記子画面は、子画面が対応づけられたインターフェイスに入力される画像信号に基づく画像が表示され、前記選択ステップは、複数の前記子画面のいずれかを選択する操作を前記受付部により受け付けると、前記表示部により表示させる画像を、前記選択画面から、前記受付部が受け付けた操作により選択された子画面に対応づけられたインターフェイスに入力される画像信号に基づく画像に変更する構成であってもよい。
【００１０】
上記課題を解決する別の一態様は、表示部と、操作を受け付ける受付部と、複数のインターフェイスを備え、外部装置に接続される接続部と、前記接続部への画像信号の入力を検出する検出部と、前記接続部への画像信号の入力が検出されない場合、又は受付部により操作を受け付けた場合に、複数の前記インターフェイスのいずれかを選択する選択画面を前記表示部により表示させる表示制御部と、を備え、前記表示制御部は、前記選択画面を、前記受付部により操作を受け付けたことにより表示させた場合、前記接続部への画像信号の入力が検出されても、前記表示部により表示させる画像として前記選択画面の画像を選択し、前記選択画面を、前記接続部への画像信号の入力が検出されないことにより表示させた場合、前記接続部への画像信号の入力が検出されると、前記表示部により表示させる画像を、前記選択画面の画像から、入力が検出された画像信号に基づく画像に変更する、表示装置である。
【図面の簡単な説明】
【００１１】
【図１】プロジェクターの構成を示すブロック図。
【図２】インターフェイス部の構成を示すブロック図。
【図３】入力信号画面の一例を示す図。
【図４】ホーム画面の一例を示す図。
【図５】第１実施形態の動作を示すフローチャート。
【図６】第１実施形態の動作を示すフローチャート。
【図７】第２実施形態の動作を示すフローチャート。
【発明を実施するための形態】
【００１２】
以下、添付図面を参照して実施形態について説明する。
図１は、表示装置の一例であるプロジェクター１の構成を示すブロック図である。
プロジェクター１は、受付部、画像投射系、画像処理系及び制御部７０を主要な構成として備える。画像投射系は、光学的な画像である画像光ＰＬを生成してスクリーンＳＣに投射する。画像処理系は、光学的な画像の元になる画像データを電気的に処理する。
【００１３】
プロジェクター１は、例えば、机や台、床等の上に平置きで設置される。プロジェクター１の設置方法には、この他に、壁に設置される壁掛け設置や、天井から吊り下げる天吊り設置等の設置方法が挙げられる。本実施形態のプロジェクター１は、いずれの方法による設置も可能である。
【００１４】
また、本実施形態では、プロジェクター１が画像光ＰＬを投射する投射面が、スクリーンＳＣである場合を例にして説明するが、投射面は、建物等の外壁や内壁等を利用することも可能である。
【００１５】
プロジェクター１は、受付部としてリモコン受光部１１及び操作パネル１３を備える。
リモコン受光部１１は、リモコン５により送信される赤外線信号を受光する。リモコン５も受付部の一部として機能する。リモコン受光部１１は、受光した赤外線信号に対応した操作信号を制御部７０に出力する。操作信号は、操作されたリモコン５のスイッチに対応した信号である。
操作パネル１３は、例えば、プロジェクター１の筐体に配置され、プロジェクター１の電源をオン、オフさせる電源スイッチ等の各種スイッチを備える。操作パネル１３のスイッチが操作されると、操作されたスイッチに対応した操作信号が制御部７０に入力される。
【００１６】
画像投射系は、表示部２０と、この表示部２０を駆動させる駆動部３０とを備える。表示部２０は、光源２１、光変調装置２３及び光学ユニット２５を備える。駆動部３０は、駆動回路３１及び光変調装置駆動回路３３を備える。
【００１７】
光源２１には、ハロゲンランプ、キセノンランプ、超高圧水銀ランプ等のランプ光源が用いられる。また、光源２１には、ＬＥＤ（Light Emitting Diode））やレーザー光源等の固体光源を用いてもよい。
【００１８】
光源２１には、駆動回路３１が接続される。駆動回路３１は、光源２１及び制御部７０に接続され、制御部７０の制御に従って光源２１に駆動電流やパルスを供給し、光源２１を点灯又は消灯させる。
【００１９】
光変調装置２３は、光源２１が発する光を変調して画像光ＰＬを生成する光変調素子を備える。光変調装置２３は、光変調素子により変調された画像光ＰＬを光学ユニット２５に射出する。光変調素子は、例えば、透過型の液晶ライトバルブ、反射型の液晶ライトバルブ、デジタルミラーデバイス等を用いることができる。
【００２０】
光変調装置２３には、光変調装置駆動回路３３が接続される。光変調装置駆動回路３３は、制御部７０及び光変調装置２３に接続され、制御部７０の制御に従って光変調装置２３を駆動し、光変調素子にフレーム単位で画像を描画する。例えば、光変調装置２３が液晶ライトバルブで構成される場合、光変調装置駆動回路３３は液晶を駆動するドライバー回路により構成される。
【００２１】
光学ユニット２５は、レンズやミラー等の光学素子を備え、光変調装置２３で変調された画像光ＰＬをスクリーンＳＣに向けて投射する。これによりスクリーンＳＣには、画像光ＰＬに基づく画像が結像する。
【００２２】
次に、プロジェクター１の画像処理系について説明する。
プロジェクター１は、画像処理系としてインターフェイス部５０、画像処理部５３及びフレームメモリー５５を備える。
【００２３】
インターフェイス部５０は、外部装置に接続するための接続部であって、複数のインターフェイスを備える。インターフェイス部５０が備えるインターフェイスは、有線のインターフェイスであってもよいし、無線のインターフェイスであってもよい。また、有線のインターフェイスは、画像データが入力されるインターフェイスであってもよいし、データ通信用の通信インターフェイスであってもよい。
【００２４】
インターフェイス部５０は、プロジェクター１に接続した外部装置から画像信号を受信し、受信した画像信号に含まれる画像データや同期信号を取り出す。インターフェイス部５０は、取り出した画像データや同期信号を画像処理部５３に出力する。また、インターフェイス部５０は、取り出した同期信号を制御部７０に出力する。画像処理部５３は、入力された同期信号に同期して画像データの１フレームを処理し、処理した画像データを光変調装置駆動回路３３に出力する。制御部７０は、入力された同期信号に同期してプロジェクター１の各部を制御する。１フレームとは、１画面分の画像が表示される期間である。また、画像データの１フレームとは、同期信号に含まれる垂直同期信号により規定される垂直走査期間に表示される画像データである。
【００２５】
図２は、インターフェイス部５０の詳細な構成を示すブロック図である。図２を参照しながらインターフェイス部５０の構成について説明する。インターフェイス部５０は、「接続部」の一例に対応する。本実施形態のインターフェイス部５０は、第１インターフェイス５１０、第２インターフェイス５２０、通信インターフェイス５３０及び無線通信部５４０を備える。本実施形態では、インターフェイス部５０が、第１インターフェイス５１０、第２インターフェイス５２０、通信インターフェイス５３０及び無線通信部５４０の４つのインターフェイスを備える場合について説明するが、インターフェイス部５０が備えるインターフェイスの数は任意である。また、本実施形態は、インターフェイス部５０が備える複数のインターフェイスの規格がそれぞれ異なる場合を説明するが、例えば、ＨＤＭＩ（High-Definition Multimedia Interface）等の同一規格のインターフェイスを複数備える構成であってもよい。
【００２６】
第１インターフェイス５１０は、例えば、ＤＶＩ（Digital Visual Interface）や、ＨＤＭＩ、Ｄｉｓｐｌａｙ Ｐｏｒｔ、ＨＤＢａｓｅＴ等のデジタルインターフェイスである。第１インターフェイス５１０は、デジタルインターフェイスの規格に対応したコネクター５１１及びインターフェイス回路５１３を備える。インターフェイス回路５１３は、「検出部」の一例に対応する。ＨＤＭＩ及びＨＤＢａｓｅＴは、登録商標である。
【００２７】
第１インターフェイス５１０には、デジタルの画像信号が入力される。
インターフェイス回路５１３は、例えば、画像信号のシリアル−パラレル変換を行う変換部を備え、入力された画像信号が、ＨＤＭＩのようなシリアライズされたデジタル形式の画像信号である場合、変換部により変換を行なってパラレルの画像信号に変換する。変換部の図示は省略する。例えば、インターフェイス回路５１３は、変換部に画像信号が入力されたことを検出して、画像信号の入力を制御部７０に通知する。
【００２８】
また、インターフェイス回路５１３は、第１インターフェイス５１０への外部装置の接続を検出した場合に、画像信号の入力を検出したと判定し、画像信号の入力を制御部７０に通知してもよい。例えば、外部装置と、インターフェイス回路５１３とを接続するケーブルには、ＨＰＤ（Hot Plug Detect）ラインが含まれ、インターフェイス回路５１３は、このＨＰＤラインが接続された端子の電圧変化を検出して、外部装置の接続を検出する。
【００２９】
第２インターフェイス５２０は、例えば、ＶＧＡ（Video Graphics Array）や、Ｄ端子、Ｓ端子等のアナログインターフェイスである。第２インターフェイス５２０は、アナログインターフェイスの規格に対応したコネクター５２１及びインターフェイス回路５２３を備える。インターフェイス回路５２３は、「検出部」の一例に対応する。
【００３０】
第２インターフェイス５２０には、アナログの画像信号が入力される。
インターフェイス回路５２３は、例えば、Ａ／Ｄコンバーターを備え、入力されたアナログの画像信号を、Ａ／Ｄコンバーターによりデジタルの画像データに変換する。Ａ／Ｄコンバーターの図示は省略する。例えば、インターフェイス回路５２３は、Ａ／Ｄコンバーターに画像信号が入力されたことを検知して、画像信号の入力を制御部７０に通知する。
【００３１】
また、インターフェイス回路５２３は、第２インターフェイス５２０への外部装置の接続を検出した場合に、画像信号の入力を検出したと判定し、画像信号の入力を制御部７０に通知してもよい。インターフェイス回路５２３も、インターフェイス回路５１３と同様に、ＨＰＤラインが接続された端子の電圧変化を検出して、外部装置の接続を検出する。
【００３２】
通信インターフェイス５３０は、例えば、ＵＳＢ（Universal Serial Bus）やＥｔｈｅｒｎｅｔ、ＩＥＥＥ１３９４等の通信インターフェイスである。Ｅｔｈｅｒｎｅｔは、登録商標である。通信インターフェイス５３０は、通信インターフェイスの規格に対応したコネクター５３１及びインターフェイス回路５３３を備える。インターフェイス回路５３３は、「検出部」の一例に対応する。
【００３３】
インターフェイス回路５３３は、データが送受信される信号線に接続されたコネクター５３１の電圧等の電気的な変化を検出して、画像信号の入力を検出してもよい。信号線は、プロジェクター１と外部装置とを接続するケーブルに含まれる信号線である。また、インターフェイス回路５３３は、接続された外部装置からデータの送信要求を受信した場合に、画像信号の入力を検出してもよい。
【００３４】
無線通信部５４０は、アンテナ、ＲＦ回路、ベースバンド回路等を含む通信モジュールである。無線通信部５４０は、例えば、Ｂｌｕｅｔｏｏｔｈ、Ｗｉ−Ｆｉを含む無線ＬＡＮ、ＮＦＣ（Near Field Communication）等の無線通信を実行する。Ｂｌｕｅｔｏｏｔｈ及びＷｉ−Ｆｉは登録商標である。無線通信部５４０は、「検出部」の一例に対応する。
【００３５】
無線通信部５４０は、ネゴシエーション等の初期化処理が完了し、無線接続された外部装置から画像信号の送信要求を受信した場合、又は外部装置からパケット等のデータを受信した場合に、画像信号が入力されたと判定し、画像信号の入力を制御部７０に通知する。
【００３６】
インターフェイス部５０に接続される外部装置には、例えば、ノート型ＰＣ（Personal Computer）、デスクトップ型ＰＣ、タブレット端末、スマートフォン、ＰＤＡ（Personal Digital Assistant）等が挙げられる。また、外部装置には、例えば、ビデオ再生装置、ＤＶＤプレーヤー、ブルーレイディスクプレーヤー等が挙げられる。さらに、外部装置は、ハードディスクレコーダー、テレビチューナー装置、ＣＡＴＶ（Cable Television）のセットトップボックス、ビデオゲーム機、ＵＳＢメモリーデバイスや入力デバイス等のデバイス等が挙げられる。
【００３７】
図１に戻り、引き続きプロジェクター１の構成について説明する。
画像処理部５３には、フレームメモリー５５が接続される。画像処理部５３は、インターフェイス部５０から入力された画像データをフレームメモリー５５に展開する。フレームメモリー５５は、複数のバンクを備える。各バンクは、１フレーム分の画像データを書き込み可能な記憶容量を有する。フレームメモリー５５は、例えば、ＳＤＲＡＭ（Synchronous Dynamic Random Access Memory）により構成される。
本実施形態では、フレームメモリー５５は、例えば、第１インターフェイス５１０、第２インターフェイス５２０、通信インターフェイス５３０及び無線通信部５４０の各インターフェイスに対応して４つのバンクが設けられる。画像処理部５３は、複数のインターフェイスの各々が画像信号を受信している場合、受信した画像信号から取り出した画像データを、フレームメモリー５５のバンクにそれぞれ展開する。
【００３８】
画像処理部５３は、フレームメモリー５５に展開した画像データに対して画像処理を行う。画像処理部５３が行う画像処理には、例えば、解像度変換処理又はリサイズ処理、歪曲収差の補正、形状補正処理、デジタルズーム処理、画像の色合いや輝度の調整等が含まれる。画像処理部５３は、制御部７０により指定された処理を実行し、必要に応じて、制御部７０から入力されるパラメーターを使用して処理を行う。また、画像処理部５３は、上記のうち複数の画像処理を組み合わせて実行することも勿論可能である。画像処理部５３は、制御部７０により選択されたバンクに展開された画像データをフレームメモリー５５から読み出し、光変調装置駆動回路３３に出力する。
【００３９】
画像処理部５３及びフレームメモリー５５は、例えば、集積回路により構成される。集積回路には、ＬＳＩ、ＡＳＩＣ（Application Specific Integrated Circuit）、ＰＬＤ（Programmable Logic Device）、ＦＰＧＡ（Field-Programmable Gate Array）、ＳｏＣ（System-on-a-chip）等が含まれる。また、集積回路の構成の一部にアナログ回路が含まれていてもよく、制御部７０と集積回路とが組み合わされた構成であってもよい。
【００４０】
次に、制御部７０の構成について説明する。制御部７０は、メモリー７１及びプロセッサー７５を備えるコンピューター装置である。メモリー７１は、ＲＡＭ（Random access memory）等の揮発性のメモリーと、ＲＯＭ（Read Only Memory）やフラッシュメモリー等の不揮発性のメモリーとを備える。メモリー７１は、プロセッサー７５が実行する制御プログラム７３を記憶する。また、メモリー７１は、自動入力検出機能の有効、無効を設定するフラグの値を記憶する。自動入力検出機能とは、画像信号の入力が検出された場合に、それまで表示していた画像に代えて、入力が検出された画像信号に基づく画像を表示させる機能である。
【００４１】
プロセッサー７５は、ＣＰＵ（Central Processing Unit）やマイコンにより構成される演算処理装置である。プロセッサー７５は、制御プログラム７３を実行してプロジェクター１の各部を制御する。プロセッサー７５は、単一のプロセッサーにより構成してもよいし、複数のプロセッサーにより構成することも可能である。また、プロセッサー７５は、メモリー７１の一部又は全部や、その他の回路と統合されたＳｏＣ（System on Chip）により構成してもよい。また、プロセッサー７５は、プログラムを実行するＣＰＵと、所定の演算処理を実行するＤＳＰ（Digital Signal Processor）との組合せにより構成してもよい。さらに、プロセッサー７５の機能の全てをハードウェアに実装した構成としてもよく、プログラマブルデバイスを用いて構成してもよい。
【００４２】
制御部７０は、表示制御部の一例であり、プロセッサー７５が制御プログラム７３に記述された命令セットを実行してデータの演算や制御を行ない、以下の処理を実行する。
制御部７０は、リモコン５や操作パネル１３により、インターフェイスを選択する操作を受け付けると、選択されたインターフェイスに入力される画像信号に基づく画像を表示させる。具体的には、制御部７０は、画像処理部５３に処理させるバンクを指示したり、画像処理に使用するパラメーターをメモリー７１から読み出して画像処理部５３に出力したりする。画像処理部５３は、制御部７０により指示されたバンクに展開された画像データに対して画像処理を行い、処理後の画像データを光変調装置駆動回路３３に出力する。
【００４３】
また、制御部７０は、駆動部３０を制御して表示部２０に画像光ＰＬを生成させ、生成させた画像光ＰＬをスクリーンＳＣに投射させる。光変調装置駆動回路３３は、制御部７０の制御に従い、入力された画像データに基づいて光変調素子を駆動する駆動信号を生成する。光変調装置駆動回路３３は、生成した駆動信号により光変調素子を駆動し、光変調素子の透過率が、画像データに対応した透過率となるように調整する。光源２１が射出した光が、透過率を調整された光変調素子を透過することで、画像光ＰＬに変調される。画像光ＰＬに変調された光が、光学ユニット２５によりスクリーンＳＣに投射されることで、画像データに基づく画像がスクリーンＳＣに表示される。
【００４４】
また、制御部７０は、インターフェイス部５０への画像信号の入力状況や、リモコン５や操作パネル１３により受け付けた操作に基づいて、スクリーンＳＣに表示させる画面を選択する。本実施形態では、制御部７０は、入力信号画面１００と、ホーム画面１１０との２つの画面を表示させる。
【００４５】
図３は、入力信号画面１００の一例を示す図である。入力信号画面１００は、インターフェイス部５０のいずれかのインターフェイスに入力された画像信号に基づく画像が表示された画面である。制御部７０は、自動入力検出機能が有効に設定され、インターフェイス部５０が備える複数のインターフェイスのいずれかで画像信号の入力が検出されると、この入力が検出された画像信号に基づく画像をスクリーンＳＣに表示させる。また、制御部７０は、ホーム画面１１０が表示された状態で、複数のインターフェイスのいずれかを選択する操作を、リモコン５や操作パネル１３により受け付けると、選択されたインターフェイスに入力された画像信号に基づく画像をスクリーンＳＣに表示させる。
【００４６】
図４は、ホーム画面１１０の一例を示す図である。
ホーム画面１１０は、選択画面であって、入力信号画面１００として表示させる画像又はインターフェイスを選択する画面である。ホーム画面１１０には、インターフェイス部５０が備える複数のインターフェイスの各々に対応して複数の子画面が表示される。本実施形態のホーム画面１１０には、子画面１１１、子画面１１２、子画面１１３及び子画面１１４の４つの子画面が表示される。
【００４７】
子画面１１１は、第１インターフェイス５１０に対応づけられ、第１インターフェイス５１０に画像信号が入力されている場合、入力された画像信号に基づく画像が表示される。子画面１１２は、第２インターフェイス５２０に対応づけられ、第２インターフェイス５２０に画像信号が入力されている場合、入力された画像信号に基づく画像が表示される。
【００４８】
子画面１１３は、通信インターフェイス５３０に対応づけられ、通信インターフェイス５３０に画像信号が入力されている場合、入力された画像信号に基づく画像が表示される。子画面１１４は、無線通信部５４０に対応付けられ、無線通信部５４０に画像信号が入力されている場合、入力された画像信号に基づく画像が表示される。
【００４９】
本実施形態では、画像信号に基づく画像としてのサムネイル画像が、対応する子画面１１１〜１１４に表示される。また、画像信号の入力がないインターフェイスに対応する子画面１１１〜１１４には、画像信号に基づく画像は表示されず、予め設定された画像が表示される。本実施形態では、予め設定された画像として、例えば、コネクター５１１、５２１、５３１の画像が用いられる。
【００５０】
制御部７０は、検出部として機能するインターフェイス回路５１３、インターフェイス回路５２３、インターフェイス回路５３３及び無線通信部５４０のいずれもが画像信号の入力を検出できない場合、ホーム画面１１０をスクリーンＳＣに表示させる。制御部７０は、複数のインターフェイスのいずれも画像信号の入力を検出できずにホーム画面１１０を表示させた場合、自動入力検出機能を有効に設定する。制御部７０は、自動入力検出機能の有効と無効とを切り替えるフラグの値を、有効に対応する値に書き替える。自動入力検出機能が有効に設定されることで、複数のインターフェイスのいずれかに画像信号の入力が検出されると、入力が検出された画像信号に基づく画像が、入力信号画面１００として表示される。
【００５１】
また、制御部７０は、リモコン５や操作パネル１３によりホーム画面１１０の表示を指示する操作を受け付けた場合も、スクリーンＳＣにホーム画面１１０を表示させる。制御部７０は、リモコン５や操作パネル１３の操作によりホーム画面１１０を表示させた場合、自動入力検出機能を無効に設定する。制御部７０は、自動入力検出機能の有効と無効とを切り替えるフラグの値を、無効に対応する値に書き替える。自動入力検出機能が無効に設定されることで、複数のインターフェイスのいずれかに画像信号の入力が検出されても、ホーム画面１１０の表示が継続して表示される。リモコン５や操作パネル１３の操作を受け付けてホーム画面１１０を表示させる場合、ユーザーの希望によりホーム画面１１０を表示させている。このため、自動入力検出機能を無効にすることで、画像信号の入力が検出されてもホーム画面１１０を継続して表示させることができる。
【００５２】
また、ホーム画面１１０には、複数の子画面１１１〜１１４が表示される。
ユーザーは、子画面１１１〜１１４の表示を参照して、画像信号が入力され、サムネイル画像が表示されている子画面１１１〜１１４の中から、画像を表示させたい子画面１１１〜１１４を選択する。制御部７０は、子画面１１１〜１１４のいずれか選択する操作をリモコン５や操作パネル１３により受け付けると、この操作により選択された子画面１１１〜１１４に対応づけられたインターフェイスに入力される画像信号を処理対象の画像信号に設定する。制御部７０は、処理対象の画像信号を画像処理部５３に処理させ、駆動部３０を制御して表示部２０に画像信号に基づく画像光ＰＬを生成させる。生成された画像光ＰＬは、光学ユニット２５によりスクリーンＳＣに投射される。
【００５３】
図５及び図６は、プロジェクター１の動作を示すフローチャートである。
図５及び図６に示すフローチャートを参照しながらプロジェクター１の動作について説明する。
電源スイッチがオンされ（ステップＳ１）、プロジェクター１に電源が投入されると、制御部７０は起動し、インターフェイス部５０の各インターフェイスに画像信号の入力があるか否かを判定する（ステップＳ２）。制御部７０は、インターフェイス回路５１３や、インターフェイス回路５２３、インターフェイス回路５３３、無線通信部５４０からの通知が入力されたか否かを判定して、インターフェイス部５０の各インターフェイスに画像信号の入力があるか否かを判定する。
【００５４】
制御部７０は、画像信号の入力があるインターフェイスを検出できない場合（ステップＳ３／ＮＯ）、自動入力検出機能の有効と無効とを切り替えるフラグの値を、有効に対応する値に書き替え、自動入力検出機能を有効に設定する（ステップＳ１０）。その後、制御部７０は、表示部２０を制御して、ホーム画面１１０をスクリーンＳＣに表示させる（ステップＳ１１）。ステップＳ１１は、「画面表示ステップ」に相当する。
【００５５】
また、制御部７０は、画像信号の入力があるインターフェイスが検出された場合（ステップＳ３／ＹＥＳ）、この検出されたインターフェイスに入力される画像信号に基づく画像を、入力信号画面１００としてスクリーンＳＣに表示させる（ステップＳ４）。
【００５６】
次に、制御部７０は、画像信号の入力が継続しているか否かを判定する（ステップＳ５）。制御部７０は、画像信号の入力が継続している場合（ステップＳ５／ＹＥＳ）、ホーム画面１１０の表示操作を受け付けたか否かを判定する（ステップＳ６）。制御部７０は、ホーム画面１１０の表示操作を受け付けていない場合（ステップＳ６／ＮＯ）、ステップＳ４に戻り、画像信号に基づく画像の表示を継続する(ステップＳ４)。
【００５７】
また、制御部７０は、ホーム画面１１０の表示操作を受け付けた場合（ステップＳ６／ＹＥＳ）、フラグの値を、無効に対応する値に書き替え、自動入力検出機能を無効に設定する（ステップＳ７）。その後、制御部７０は、表示部２０を制御して、ホーム画面１１０をスクリーンＳＣに表示させる（ステップＳ１１）。
【００５８】
また、制御部７０は、ステップＳ５において、画像信号の入力がないと判定した場合（ステップＳ５／ＮＯ）、画像信号の入力が検出された他のインターフェイスがあるか否かを判定する（ステップＳ８）。制御部７０は、他のインターフェイスがある場合（ステップＳ８／ＹＥＳ）、ステップＳ４に戻り、この他のインターフェイスに入力される画像信号に基づく画像を、入力信号画面１００としてスクリーンＳＣに表示させる（ステップＳ４）。
【００５９】
また、制御部７０は、他のインターフェイスを検出することができなかった場合（ステップＳ８／ＮＯ）、電源スイッチが操作され、プロジェクター１の電源がオフにされたか否かを判定する（ステップＳ９）。制御部７０は、プロジェクター１の電源がオフにされた場合（ステップＳ９／ＹＥＳ）、この処理フローを終了させる。また、制御部７０は、プロジェクター１の電源がオフにされていない場合（ステップＳ９／ＮＯ）、フラグの値を、有効に対応する値に書き替え、自動入力検出機能を有効に設定する（ステップＳ１０）。そして、制御部７０は、ホーム画面１１０を表示部２０によりスクリーンＳＣに表示させる（ステップＳ１１）。
【００６０】
次に、制御部７０は、画像信号の入力があるインターフェイスが検出されたか否かを判定する（ステップＳ１２）。ステップＳ１２は、「検出ステップ」に相当する。制御部７０は、画像信号の入力があるインターフェイスが検出されていない場合（ステップＳ１２／ＮＯ）、ステップＳ１２に戻り、引き続き、画像信号の入力があるインターフェイスがあるか否かを判定する。
【００６１】
また、制御部７０は、画像信号の入力があるインターフェイスが検出された場合（ステップＳ１２／ＹＥＳ）、フラグを参照して自動入力検出機能が有効か否かを判定する（ステップＳ１３）。制御部７０は、自動入力検出機能が有効ではない場合（ステップＳ１３／ＮＯ）、ホーム画面１１０の表示を継続させる（ステップＳ１４）。その後、制御部７０は、ホーム画面１１０に表示されたインターフェイスの中から、インターフェイスを選択する操作を受け付けたか否かを判定する（ステップＳ１５）。制御部７０は、インターフェイスを選択する操作を受け付けていない場合（ステップＳ１５／ＮＯ）、ステップＳ１４に戻りホーム画面１１０の表示を継続させる。
【００６２】
また、制御部７０は、インターフェイスを選択する操作を受け付けた場合（ステップＳ１５／ＹＥＳ）、選択されたインターフェイスに入力される画像信号に基づく画像を、入力信号画面１００として表示させ（ステップＳ１６）、ステップＳ４の処理に移行する。ステップＳ１３、ステップＳ１４、ステップＳ１５及びステップＳ１６は、「選択ステップ」に相当する。
【００６３】
また、制御部７０は、フラグを参照して自動入力検出機能が有効であると判定した場合（ステップＳ１３／ＹＥＳ）、ステップＳ１２で検出されたインターフェイスに入力される画像信号に基づく画像を、入力信号画面１００として表示させる（ステップＳ１６）。その後、制御部７０は、ステップＳ４の処理に移行する。
【００６４】
以上説明したように第１実施形態のプロジェクター１は、図５に示すフローチャートのステップＳ１１に相当する画面表示ステップと、図６に示すフローチャートのステップＳ１２に相当する検出ステップと、図６のステップＳ１３、ステップＳ１４、ステップＳ１５及びステップＳ１６のいずれかに相当する選択ステップとを実行する。
画面表示ステップは、インターフェイス部５０への画像信号の入力が検出されない場合、又はリモコン５や操作パネル１３により操作を受け付けた場合に、複数のインターフェイスのいずれかを選択するホーム画面１１０を表示部２０により表示させる。
検出ステップは、インターフェイス部５０への画像信号の入力を検出する。
選択ステップは、表示部２０に表示させる画像を選択する。
【００６５】
また、選択ステップは、画面表示ステップで、ホーム画面１１０を、リモコン５や操作パネル１３により操作を受け付けたことにより表示させた場合、インターフェイス部５０への画像信号の入力が検出されても、表示部２０により表示させる画像としてホーム画面１１０の画像を選択する。
また、選択ステップは、画面表示ステップで、ホーム画面１１０を、インターフェイス部５０への画像信号の入力が検出されないことにより表示させた場合、インターフェイス部５０への画像信号の入力が検出されると、表示部２０に表示させる画像として、入力が検出された画像信号に基づく画像を選択する。
【００６６】
このため、ユーザーがリモコン５や操作パネル１３を操作して、ホーム画面１１０を表示させた場合は、インターフェイス部５０への画像信号の入力が検出されても、ホーム画面１１０の表示を継続させることができる。従って、ホーム画面１１０が画像信号の入力により切り替わってしまわないようにすることができる。また、ユーザーの操作によらずにホーム画面１１０を表示させた場合は、画像信号の入力が検出されると、検出された画像信号に基づく画像を表示させることができ、ユーザーの操作なしに、画像信号に基づく画像を表示させることができる。
【００６７】
また、ホーム画面１１０には、複数のインターフェイスの各々に対応づけられた複数の子画面１１１〜１１４が表示され、複数の子画面１１１〜１１４は、子画面１１１〜１１４が対応づけられたインターフェイスに入力される画像信号に基づく画像が表示される。
選択ステップは、複数の子画面１１１〜１１４のいずれかを選択する操作をリモコン５や操作パネル１３により受け付けた場合、表示部２０により表示させる画像を、ホーム画面１１０から、操作により選択された子画面１１１〜１１４に対応づけられたインターフェイスに入力される画像信号に基づく画像に変更する。
従って、子画面１１１〜１１４の表示を参照しながら、表示部２０に表示させる画像を選択することができる。
【００６８】
［第２実施形態］
次に、第２実施形態について説明する。第２実施形態のプロジェクター１の構成は、図１に示す第１実施形態のプロジェクター１と同一であるため、プロジェクター１の構成についての説明は省略する。
【００６９】
上述した第１実施形態では、ホーム画面１１０を表示後、画像信号が入力されたインターフェイスが検出された場合に、自動入力検出機能が有効か無効かを判定して、ホーム画面１１０の表示を継続させたり、入力された画像信号に基づく画像を表示させたりした。
第２実施形態では、自動入力検出機能の有効、無効の設定と、ユーザーにより設定される選択条件とに基づいて、スクリーンＳＣに表示させる画像を選択する。ユーザーは、リモコン５や操作パネル１３を操作して、プロジェクター１に、選択条件として第１条件、第２条件及び第３条件のいずれかを設定する。第１条件、第２条件及び第３条件の選択条件は、ホーム画面１１０の表示後、インターフェイス部５０に画像信号の入力が検出された場合に、スクリーンＳＣに表示させる画像を選択するときの選択条件である。第１条件は、自動入力検出機能を常に有効にする設定であり、第２条件は、自動入力検出機能を常に無効にする設定である。また、第３条件は、自動入力検出機能の有効、無効に従って、スクリーンＳＣに表示させる画像を変更する設定である。
【００７０】
制御部７０は、プロジェクター１が第１条件に設定された場合、自動入力検出機能を常に有効に設定する。つまり、制御部７０は、リモコン５や操作パネル１３の操作を受け付けてホーム画面１１０を表示させた場合であっても、自動入力検出機能を有効に設定する。これにより、制御部７０は、ホーム画面１１０が表示された状態で、複数のインターフェイスのいずれかに画像信号の入力が検出されると、ホーム画面１１０に代えて、入力された画像信号に基づく画像を入力信号画面１００として表示させる。
【００７１】
また、制御部７０は、プロジェクター１が第２条件に設定された場合、自動入力検出機能を常に無効に設定する。つまり、制御部７０は、複数のインターフェイスのいずれにも画像信号の入力が検出できずにホーム画面１１０を表示させた場合であっても、自動入力検出機能を無効に設定する。これにより、制御部７０は、ホーム画面１１０が表示された状態で、複数のインターフェイスのいずれかに画像信号の入力が検出されても、ホーム画面１１０を継続して表示させる。また、ホーム画面１１０に表示された子画面１１１〜１１４のいずれかが選択された場合は、選択された子画面が対応づけられたインターフェイスに入力される画像信号に基づく画像が表示される。
【００７２】
また、制御部７０は、プロジェクター１が第２条件に設定された場合、自動入力検出機能をオートに設定する。つまり、上述した第１実施形態のときと同様に、リモコン５や操作パネル１３の操作を受け付けてホーム画面１１０を表示させた場合は、自動入力検出機能を無効に設定する。また、複数のインターフェイスのいずれにも画像信号の入力が検出できずにホーム画面１１０を表示させた場合、自動入力検出機能を有効に設定する。
【００７３】
図７に示すフローチャートを参照しながら本実施形態の動作について説明する。
なお、図５及び図６に示すステップＳ１〜Ｓ１２までの動作は、上述した第１実施形態で説明した動作と同一であるため、詳細な説明は省略する。また、図７に示すステップＳ２１の判定処理が、図６に示すステップＳ１２の判定処理に対応する。
【００７４】
制御部７０は、画像信号の入力があるインターフェイスが検出された場合（ステップＳ２１／ＹＥＳ）、プロジェクター１に設定された条件は、第１条件であるか否かを判定する（ステップＳ２２）。制御部７０は、プロジェクター１に設定された条件が第１条件である場合（ステップＳ２２／ＹＥＳ）、入力が検出されたインターフェイスに入力された画像信号に基づく画像を入力信号画面１００として表示させる（ステップＳ２３）。制御部７０は、ステップＳ１１で表示させたホーム画面１１０が、操作を受け付けて表示させた場合であっても、複数のインターフェイスのいずれにも画像信号の入力が検出できないことにより表示させた場合であっても、入力された画像信号に基づく画像を入力信号画面１００として表示させる。
【００７５】
また、制御部７０は、プロジェクター１に設定された条件が第１条件ではない場合（ステップＳ２２／ＮＯ）、プロジェクター１に設定された条件が第２条件であるか否かを判定する（ステップＳ２４）。制御部７０は、プロジェクター１に設定された条件が第２条件である場合（ステップＳ２４／ＹＥＳ）、ホーム画面１１０の表示を継続させる（ステップＳ２５）。制御部７０は、ステップＳ１１で表示させたホーム画面１１０が、操作を受け付けて表示させた場合であっても、複数のインターフェイスのいずれにも画像信号の入力が検出できないことにより表示させた場合であっても、ホーム画面１１０の表示を継続させる。
【００７６】
また、制御部７０は、プロジェクター１に設定された条件が第２条件ではないと判定した場合（ステップＳ２４／ＮＯ）、プロジェクター１に設定された条件は第３条件であると判定する。この場合、制御部７０は、図６に示すフローチャートのステップＳ１３〜Ｓ１６と同一の処理を行なう。
【００７７】
以上説明したように第２実施形態のプロジェクター１は、選択ステップにおいて、選択条件として第１条件が設定された場合、ホーム画面１１０を、リモコン５や操作パネル１３により操作を受け付けたことにより表示させた場合と、インターフェイス部５０への画像信号の入力が検出されないことにより表示させた場合とのいずれの条件で表示させた場合であっても、表示部２０に表示させる画像として、入力が検出された画像信号に基づく画像を選択する。
従って、第１条件を設定することにより、ホーム画面１１０をいずれの条件で表示させた場合であっても、画像信号の入力が検出された場合に、この検出された画像信号に基づく画像を表示させることができる。
【００７８】
また、選択ステップは、選択条件として第２条件が設定された場合、ホーム画面１１０を、リモコン５や操作パネル１３により操作を受け付けたことにより表示させた場合と、インターフェイス部５０への画像信号の入力が検出されないことにより表示させた場合とのいずれの条件で表示させた場合であっても、表示部２０に表示させる画像として、ホーム画面１１０を選択する。
従って、第２条件を設定することにより、ホーム画面１１０をいずれの条件で表示させた場合であっても、画像信号が入力されてもホーム画面１１０の表示を継続させることができる。
【００７９】
また、選択ステップは、選択条件として第３条件が設定された場合、ホーム画面１１０を、受付部により操作を受け付けたことにより表示させた場合には、インターフェイス部５０への画像信号の入力が検出されても、表示部に表示させる画像としてホーム画面１１０の画像を選択し、ホーム画面１１０を、インターフェイス部５０への画像信号の入力が検出されないことにより表示させた場合には、インターフェイス部５０への画像信号の入力が検出されると、表示部に表示させる画像を、ホーム画面１１０の画像から、入力が検出された画像信号に基づく画像に変更する。
このため、第３条件を設定することにより、ホーム画面１１０を、受付部により操作を受け付けたことにより表示させた場合と、インターフェイス部５０への画像信号の入力が検出されないことにより表示させた場合とで、画像信号が入力された場合に表示部２０に表示させる画像を変更することができる。
【００８０】
上述した実施形態は本発明を適用した具体的態様の例に過ぎず、本発明を限定するものではなく、異なる態様として本発明を適用することも可能である。
例えば、上述した実施形態では、インターフェイス回路５１３や、インターフェイス回路５２３、インターフェイス回路５３３、無線通信部５４０が検出部として動作する場合を説明したが、制御部７０を検出部として動作させてもよい。
例えば、制御部７０は、第１インターフェイス５１０、第２インターフェイス５２０、通信インターフェイス５３０及び無線通信部５４０から同期信号が入力されることにより、画像信号の入力と、画像信号が入力されたインターフェイスとを特定してもよい。
【００８１】
また、上述した第１及び第２実施形態では、表示装置の一例としてプロジェクター１を示したが、本発明の表示装置は、液晶ディスプレイであってもよい。また、プラズマディスプレイパネルや有機ＥＬパネルを備えた表示装置であってもよい。
【００８２】
また、表示装置の制御方法を、表示装置が備えるコンピューターを用いて実現される場合、このコンピューターに実行させるプログラムを記録媒体、又はこのプログラムを伝送する伝送媒体の態様で構成することも可能である。記録媒体には、磁気的、光学的記録媒体又は半導体メモリーデバイスを用いることができる。具体的には、フレキシブルディスク、ＨＤＤ（Hard Disk Drive）、ＣＤ−ＲＯＭ（Compact Disk Read Only Memory）、ＤＶＤ（Digital Versatile Disk）、Ｂｌｕ−ｒａｙ Ｄｉｓｃ、光磁気ディスク、フラッシュメモリー、カード型記録媒体等の可搬型、或いは固定式の記録媒体が挙げられる。また、上記記録媒体は、画像表示装置が備える内部記憶装置であるＲＡＭ（Random Access Memory）、ＲＯＭ（Read Only Memory）、ＨＤＤ等の不揮発性記憶装置であってもよい。Ｂｌｕ−ｒａｙは、登録商標である。
【００８３】
また、図５〜図７に示すフローチャートの処理単位は、制御部７０の処理を理解容易にするために、主な処理内容に応じて分割したものである。このため、図５〜図７のフローチャートに示す処理単位の分割の仕方や名称によって本発明が制限されることはない。また、制御部７０の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【００８４】
また、図１に示すプロジェクター１の機能ブロックのうち少なくとも一部は、ハードウェアで実現してもよいし、ハードウェアとソフトウェアの協働により実現される構成としてもよい。また、図に示した通りに独立したハードウェア資源を配置する構成に限定されず、図示した以外の機能部を備える構成であってもよい。
【符号の説明】
【００８５】
１…プロジェクター、５…リモコン、１１…リモコン受光部、１３…操作パネル、２０…表示部、２１…光源、２３…光変調装置、２５…光学ユニット、３０…駆動部、３１…駆動回路、３３…光変調装置駆動回路、５０…インターフェイス部、５３…画像処理部、５５…フレームメモリー、７０…制御部、７１…メモリー、７３…制御プログラム、７５…プロセッサー、１００…入力信号画面、１１０…ホーム画面、１１１〜１１４…子画面、５１０…第１インターフェイス、５１１…コネクター、５１３…インターフェイス回路、５２０…第２インターフェイス、５２１…コネクター、５２３…インターフェイス回路、５３０…通信インターフェイス、５３１…コネクター、５３３…インターフェイス回路、５４０…無線通信部、ＰＬ…画像光、ＳＣ…スクリーン。
【図１】
2020148798.tif 000003
【図２】
2020148798.tif 000004
【図３】
2020148798.tif 000005
【図４】
2020148798.tif 000006
【図５】
2020148798.tif 000007
【図６】
2020148798.tif 000008
【図７】
2020148798.tif 000009